(57)【要約】      （修正有）【課題】反射型ホログラム情報記録媒体において、光入射面側のホログラム情報記録層に対するレーザ光が、光入射面とは反対側の情報記録層に向かうことによる情報の記録再生特性の劣化を回避する。【解決手段】第１および第２の情報記録層２および８との間に波長選択反射膜４が介在される反射型ホログラム情報記録媒体であり、第１の情報記録層２に対しては、第１のレーザＬＭによってホログラム記録再生がなされ、第２の情報記録層８に対しては、第２のレーザ光ＬＳによって情報読み出しを行う構成にあって、波長選択反射膜の特性を、第１のレーザ光に対し透過率がほとんどゼロで高い反射率を示す特性を有し、第２のレーザ光に対し、膜厚依存性を有する干渉特性を示す材料層よりなる単一膜構成を有し、波長選択反射膜４を、干渉特性曲線が低い反射率を示しかつ高い透過率を示す膜厚に選定する。【選択図】図１
2005316006.tif 000002
【特許請求の範囲】
【請求項１】
第１の情報記録層と、第２の情報記録層と、これら第１および第２の情報記録層間に介在される波長選択反射膜とを有して成る反射型ホログラム情報記録媒体であって、
上記第１の情報記録層は、第１のレーザ光によってホログラム記録再生がなされるホログラム情報記録層であり、
上記第２情報記録層は、凹凸反射面による情報記録面を有し、第２のレーザ光によって情報を取り出す情報記録層であり、
上記第１および第２のレーザ光は、上記第１のレーザ光が短波長光であり、上記第２のレーザ光が長波長光であり、
上記波長選択反射膜は、所要の膜厚範囲で、上記第１のレーザ光に対する透過率特性と反射率特性とが、膜厚依存性をほとんど示すことがなく、透過率がほとんどゼロで、かつ高い反射率を示す特性を有し、上記第２のレーザ光に対する透過率特性と反射率特性とが、膜厚依存性を有する干渉特性を示す材料層より成り、上記所要の膜厚範囲内において、上記干渉特性曲線が低い反射率を示すと共に、高い透過率を示す膜厚に選定された単一膜構成を有して成ることを特徴とするホログラム情報記録媒体。
【請求項２】
上記第２の情報記録層が、上記第１の情報記録層に対するホログラム記録再生の第１のレーザ光の照射位置を検出する位置検出情報層であることを特徴とする請求項１に記載のホログラム情報記録媒体。
【請求項３】
上記第１のレーザ光は、波長範囲が３９０ｎｍ〜４５０ｎｍの青色レーザ光であり、上記第２のレーザ光は、波長範囲が６３０ｎｍ〜８３０ｎｍの赤ないしは近赤外のレーザ光であることを特徴とする請求項１に記載のホログラム情報記録媒体。
【請求項４】
上記波長選択反射膜が、アモルファスＳｉ膜であることを特徴とする請求項１に記載のホログラム情報記録媒体。
【発明の詳細な説明】
【技術分野】
【０００１】
本発明は、ホログラム情報記録媒体、特に反射型ホログラム情報記録媒体に関する。
【背景技術】
【０００２】
同一主面側からホログラム記録再生を行う、反射型ホログラム情報記録媒体において、情報記録層と、位置情報を得る位置情報層とが形成されたホログラム情報記録媒体の提案がなされている（例えば特許文献１参照）。
【０００３】
ホログラム記録再生がなされる情報記録層と、位置情報層との機能を異にする２層構造の反射型ホログラム情報記録媒体においては、例えば記録再生レーザ光として短波長の青色レーザ光を用い、位置検出レーザ光として長波長のレーザ光を用いてその記録再生を行う。
しかしながら、位置情報層が、微細ピットや、溝による位置情報凹凸面を有し、この位置情報凹凸面に反射膜が形成された構成が採られる場合、ホログラム記録再生のレーザ光が、位置情報層に到達し、これが反射されると、これによって、位置情報凹凸面の影響を受け、ホログラム記録再生光の波面に乱れを発生させ、安定な情報の記録再生が阻害される。
【０００４】
そこで、安定したホログラム記録再生がなされるように、ホログラム情報記録層と、位置情報層との間に波長選択反射膜を設けて、ホログラム記録再生を行う短波長のレーザ光は、この波長選択反射膜で反射させ、長波長の位置検出レーザ光のみを透過させて位置検出を行うことができるようにして、ホログラム記録再生が、上述した凹凸反射面の影響を受けないようにするなどの構成が採られている。
【０００５】
このような波長選択反射膜は、通常、誘電体多層膜によって構成されている。
ところが、このホログラム情報記録媒体に対して照射されるレーザ光は、レンズで収束された広い入射角を有することから、誘電体多層膜によって波長選択反射膜を構成する場合、広い入射各全域で、波長選択性を呈することができるようにするには、かなり多くの膜数が必要となり、生産性の阻害、歩留まりの低下、これによるコスト高を来たすなどの問題を有する。
【特許文献１】特許第３４３００１２号
【発明の開示】
【発明が解決しようとする課題】
【０００６】
本発明は、第１および第２の情報層有し、両者間に波長選択反射膜を有する反射型ホログラム情報記録媒体にあって、光入射面側のホログラム情報記録層に対するレーザ光が、光入射面とは反対側の情報層に向かうことによる情報の記録再生特性の劣化を回避すると共に、波長選択反射膜が、誘電体多層膜構成とされることによる、層膜数の問題、生産性の問題、コスト高の問題を解決することができるようにしたホログラム情報記録媒体を提供することを目的とする。
【課題を解決するための手段】
【０００７】
本発明によるホログラム情報記録媒体は、第１の情報記録層と、第２の情報記録層と、これら第１および第２の情報記録層間に介在される波長選択反射膜とを有して成る反射型ホログラム情報記録媒体であって、上記第１の情報記録層は、第１のレーザ光によってホログラム記録再生がなされるホログラム情報記録層であり、上記第２情報記録層は、凹凸反射面による情報記録面を有し、第２のレーザ光によって情報を取り出す情報記録層であり、上記第１および第２のレーザ光は、上記第１のレーザ光が短波長光であり、上記第２のレーザ光が長波長光であり、上記波長選択反射膜は、所要の膜厚範囲で、上記第１のレーザ光に対する透過率特性と反射率特性とが、膜厚依存性をほとんど示すことがなく、透過率がほとんどゼロで、かつ高い反射率を示す特性を有し、上記第２のレーザ光に対する透過率特性と反射率特性とが、膜厚依存性を有する干渉特性を示す材料層より成り、上記所要の膜厚範囲内において、上記干渉特性曲線が低い反射率を示すと共に、高い透過率を示す膜厚に選定された単一膜構成を有して成ることを特徴とする。
【０００８】
また、本発明は、上述の構成において、上記第２の情報記録層が、上記第１の情報記録層に対するホログラム記録再生の第１のレーザ光の照射位置を検出する位置検出情報層であることを特徴とする。
また、本発明は、上述の構成において、上記第１のレーザ光は、波長範囲が３９０ｎｍ〜４５０ｎｍの青色レーザ光であり、上記第２のレーザ光は、波長範囲が６３０ｎｍ〜８３０ｎｍの赤ないしは近赤外のレーザ光であることを特徴とする。
また、本発明は、上述の構成において、上記波長選択反射膜が、アモルファスＳｉ膜であることを特徴とする。
【発明の効果】
【０００９】
上述したように、本発明によるホログラム情報記録媒体は、第１の情報記録層と、第２の情報記録層と、これら第１および第２の情報記録層間に介在される波長選択反射膜とを有する反射型のホログラム情報記録媒体によるものであるが、特に本発明においては、その波長選択反射膜に関する光学特性が、膜厚依存性に特殊性を有する材料構成とすることによって、単一膜構成とするものである。
【００１０】
すなわち、本発明構成においては、その波長選択反射膜の光学特性が、図３の反射率および透過率の膜厚依存性特性において、所要の膜厚範囲で、第１の情報層のホログラム情報記録層に対する第１のレーザ光に関する透過率特性と反射率特性とが、曲線ＬＭＴおよびＬＭＲで示すように、膜厚依存性をほとんど示すことがなく、透過率がほとんどゼロであって、反射率が高い特性を有し、第２の情報層に対する第２のレーザ光に関する透過率特性と反射率特性とが、曲線ＬＳＴおよび」ＬＳＲで示すように、干渉特性を示す膜厚依存性を有する材料層より構成するものである。
【００１１】
この特性を利用して、波長選択反射膜の膜厚を、特性曲線ＬＳＴが高く、反射曲線ＬＳＲが低い特性を示す膜厚に選定することによって、単一膜構成で、第１のレーザ光に対して透過することなく効率よく反射させ、第２のレーザ光のみを透過させて第２の情報層に向かわせることができ、更に、後述するところから明らかなように、広い入射角に対して、波長選択性を保持できる。
【００１２】
このように、本発明においては、単一膜による波長選択反射膜を有する反射型ホログラム情報記録媒体を構成するので、従来におけるように、複数の誘電体層の積層による波長選択反射膜とする場合における冒頭述べた例えば生産性、歩留まり、コストの問題について効果的に改善が図られるものである。
【発明を実施するための最良の形態】
【００１３】
図１は、本発明による反射型ホログラム媒体１０の実施の形態例の概略断面図である。
しかしながら、本発明は、この実施の形態例に限定されるものではない。
この例においては、透明基板１上に、第１の情報記録層としてのホログラム情報記録層２、第１の透明スペーサ膜３、波長選択反射膜４、第２の透明スペーサ膜５が順次積層形成される。
この第２の透明スペーサ膜５の波長選択反射膜とは反対側の面には、アドレス情報や、トラッキング情報等の位置情報のピットや、トラッキングの案内溝を構成するグルーブによる凹凸面６が形成され、この凹凸面６に反射膜７が被着形成されて第２の情報記録層８が構成される。
このホログラム情報記録媒体１０の第１および第２の情報層２および８に対する第１および第２のレーザ光照射は、第１の情報記録層２側から、すなわち透明基板１側からなされる。
【００１４】
次に、本発明による反射型のホログラム情報記録媒体１０に対するホログラム記録再生を行うことができるホログラム記録再生装置を説明する。図２は、コリニア方式をとるホログラム記録再生装置の概略構成図を示す。この場合、ホログラム記録再生用の第１のレーザ光源１１と、コリメートレンズ１２と、ビームスプリッタ１３と、例えばアレイ状の反射型液晶パネルによる空間変調器１４と、ミラー１５と、ダイクロイックプリズム１６と、対物レンズ１７と、アレイ型光検出器１８と、位置検出用の第２のレーザ光源１９と、コリメートレンズ２０と、ビームスプリッタ２１と、集光レンズ２２と、光検出器２３とを有する。
【００１５】
この装置におけるホログラム情報記録媒体１０に対する情報の記録について説明する。
この場合、第１のレーザ光源１１からのレーザ光がホログラム記録再生光ＬＭであり、、コリメータレンズ１２を介して、ビームスプリッタ１３を通過する。ビームスプリッタ１３を通過した光の一部は、各画素に関して記録情報によって空間変調器１４で変調し、光強度変調パターンを有する信号光としてビームスプリッタ１３に導入され、このビームスプリッタ１３で反射され、ダイクロイックプリズム１６によって、対物レンズ１７に導入される。
【００１６】
一方、ビームスプリッタ１３を通過した光の残りの一部は、ミラー１５で反射され、参照光としてビームスプリッタ１３で反射され、ダイクロイックプリズム１６、対物レンズ１７に導入される。
このように、同一の対物レンズ１７に対して信号光と参照光を通過させることによりコリニア方式と呼称されるホログラム記録再生装置が構成される。
そして、対物レンズ１７により信号光と参照光は、ホログラム情報記録媒体１０内の上述したホログラム情報記録層、すなわち第１の情報記録層２に干渉縞、すなわちホログラム記録がなされる。
【００１７】
次に、ホログラム情報記録媒体１０からの情報の再生について説明する。この場合、第１のレーザ光源１１からの光情報記録再生用としての第１のレーザ光は、コリメータレンズ１２を介して、ビームスプリッタ１３を通過する。ビームスプリッタ１３を通過した光の一部は、すべての画素の反射率を０％に制御された空間変調器１４で遮断され、ミラー１５で反射された参照光のみが、ビームスプリッタ１３で反射され、ダイクロイックプリズム１６、対物レンズ１７を介して、ホログラム情報記録媒体１０に記録されたホログラムを照明する。
【００１８】
ホログラムにより回折作用を受けた光は、ホログラム情報記録媒体１０の位置情報層を構成する反射膜７により反射され、対物レンズ１７、ダイクロイックプリズム１６、ビームスプリッタ１３を通過して、アレイ状の光検出器１８上に再生像を形成し、再生像の光強度の空間分布を光検出器９で検出する。光検出器９は、ＣＣＤ（Charge Coupled Device）センサや、ＣＭＯＳセンサ等が用いられる。
【００１９】
ところで、上述した記録再生過程において移動するホログラム媒体１０に対しては、対物レンズ１７とホログラム情報記録媒体１０との相対位置関係を精密に制御する必要がある。
その１つの方法が、図２に示す第２のレーザ光源１９からの位置検出用レーザとしての第２のレーザ光ＬＳを用いて、ホログラム情報記録媒体１０に作りつけられたエンボスピットやグルーブによる情報凹凸面６に反射膜７が被着されて成る第２の情報記録層８に作りつけられたアドレス情報あるいはトラッキング情報をもとに、位置を精密に制御する方法である。
【００２０】
この位置情報検出のための第２のレーザ光源１９は、情報を記録再生する第１のレーザ光源１１の第１のレーザ光ＬＭの波長λ１とは異なる波長λ２の第２のレーザ光ＬＳを得るレーザ光源である。そして、この波長λ２のレーザＬＳは、ホログラム情報記録媒体１０の、ホログラム情報記録層２に対して記録感度を示すことのない波長λ２とされる。
【００２１】
この第２のレーザ光源１９を出た光は、コリメータレンズ２０、ビームスプリッタ２２を通過して、このレーザ光源１９からの波長には反射作用を及ぼす、ダイクロイックプリズム６で反射され、対物レンズ７により、ホログラム情報記録媒体１０の上述した作りつけの凹凸面６の反射膜７による第２の情報記録層８に集光される。
そして、この第２の情報記録層８の反射面７の情報により回折、反射された光は、対物レンズ１７、ダイクロイックプリズム１６を通過し、ビームスプリッタ２１で反射され、集光レンズ２２によって光検出器２３に導かれる。そして、この光検出器２３によって、上述した第２の情報記録層８によるアドレス情報や、グルーブによる1次元の案内溝（グルーブ）上の集光スポットの位置などのホログラム情報記録媒体１０の面内位置情報が検出される。
【００２２】
また、焦点検出機構を付加することによりホログラム情報記録媒体１０の垂直位置情報も検出できる。
上述した光検出器２３による面内位置情報の検出や、垂直位置情報の検出は、ＣＤ（Compact Disc）におけるピックアップ装置と同様の手法によって行うことができる。
【００２３】
ここで、ホログラム情報記録媒体１０内での第１のレーザ光源１１と、第２のレーザ光源１９の相対位置は不変とされるものであるので、第２のレーザ光源１９で検出された位置情報をもとに、ホログラム情報記録媒体１０内における第１のレーザ光源１１の位置を認識、制御して、所定の位置にホログラム情報を記録再生することが可能となる。
すなわち、第２のレーザ光源１９によるレーザ光ＬＳは、第１のレーザ光源１１からの第１のレーザ光ＬＭによる記録再生のための、いわば補助的手段として用いている。
【００２４】
第１および第２のレーザ光ＬＭおよびＬＳは、情報の記録再生を行う第１のレーザ光ＬＭが、短波長の青色レーザ光（波長λ１が３９０ｎｍ〜４５０ｎｍ）とし、位置検出のための第２のレーザ光ＬＳが、第１のレーザ光ＬＭに比して長波長の赤色または近赤外レーザ光（波長λ２が、６３０ｎｍ〜８３０ｎｍ）とする。
【００２５】
このようにして、本発明におけるホログラム情報記録媒体１０においては、波長選択反射膜４によって、赤色または近赤外レーザ光による第２のレーザ光ＬＳにより、上述した凹凸面６に反射膜７が形成されてなる位置検出の第２の情報記録層８からアドレス情報や２次元の位置情報を得ながら、一方で、記録再生を行う短波長の第１のレーザ光ＬＭは、第２の情報記録層８に達することが回避される。したがって、記録再生を行う第１のレーザ光ＬＭの波面が第２の情報記録層８によって乱れることが回避されるものである。
【００２６】
更に、本発明によるホログラム情報記録媒体１０の具体例を詳細に説明する。
ホログラム情報記録媒体１０は、例えばガラスまたはポリカーボネイト樹脂より成る透明基板１上に、順次、ホログラム情報記録層２、第１の透明スペーサ膜３、波長選択反射膜４、第２の透明スペーサ膜５、反射膜７が形成される。
【００２７】
そして、第２の透明スペーサ膜５には、その表面に、上述したアドレス情報、トラッキング情報等のピットや、溝が形成された凹凸面６が形成され、この凹凸面６上に、反射膜７が形成される。
反射膜７は、Ａｌなど上述した第２のレーザ光の、波長λ２の赤色または近赤外域に高い反射率を有する金属膜が蒸着等の手法によって被着形成される。
【００２８】
すなわち、この構成においては、第１の情報記録層２のホログラム情報記録層は、透明基板１と第１の透明スペーサ膜３との間に挟まれる。
また、第２の情報記録層８の位置検出情報層は、第２の透明スペーサ膜５の表面にアドレス情報や案内溝（グルーブ）よる凹凸面６を有し、上述した反射膜７によって覆われて形成されている。
第１の透明スペーサ膜３は、誘電体薄膜や透明樹脂等で形成される。場合により第１の透明スペーサ膜３は必ずしも必要ではない。
第２の透明スペーサ膜５は、アドレス情報や案内溝のグルーブを形成できる数１０から１００ミクロン程度の厚さの透明樹脂、例えばＵＶ樹脂（紫外線硬化樹脂）ポリカーボネイト樹脂等によって構成する。
【００２９】
波長選択反射膜４にアモルファスＳｉ（ａ−Ｓｉ）の単層膜によって構成することができる。
このａ−Ｓｉは、青色レーザに対して吸収係数が大きく、赤色または近赤外レーザに対してほぼ透明であり、青色レーザに対しては透過率が０％で、かつ一定の反射率を有し、赤色または近赤外レーザに対しては、一定の透過率を有する波長選択反射膜を実現できる。
図３は、アモルファスＳｉの反射率および透過率のλ１＝４０５ｎｍおよびλ２＝６６０ｎｍに対する膜厚依存性特性を示す。それぞれに対する光学屈折率は、４．３＋２．１ｉ、４．３＋０．４ｉを用いた。
【００３０】
図３で示すように、アモルファスＳｉは、λ１＝４０５ｎｍに対しては、厚さ５０ｎｍ程度以上の膜厚範囲で、透過率特性（曲線ＬＭＴ）と反射率特性（曲線ＬＭＲ）が、膜厚依存性をほとんど示すことがなく、反射率は約３３％で、透過率は吸収のためにほぼ０％を示す。
一方、λ２＝６６０ｎｍに対しては、透過率特性（曲線ＬＳＴ）と反射率特性（曲線ＬＳＲ）とに示されるように干渉特性を有する。
【００３１】
本発明においては、この特性を利用して、波長選択反射膜４膜厚を、特性曲線ＬＳＴが高く、反射曲線ＬＳＲが低い特性を示す膜厚、この例では７５ｎｍ程度、例えば７５±５ｎｍ程度の単一層による膜厚とする。この膜厚のとき、６６０ｎｍに対して約４５％の透過率が得られる、すなわち入射光の約半分が、第２の情報層８の位置検出層に透過でき、アドレス情報や２次元の位置情報の検出に利用できる。
【００３２】
このように、波長選択薄膜４を、所定の膜厚に選定したアモルファスＳｉによって構成することにより、図４ＡおよびＢに、それぞれ第１のレーザ光（ホログラム情報記録再生用レーザ光）ＬＭ、および第２レーザ光（位置検出用レーザ光）ＬＳの、ホログラム情報記録媒体１０中での照射状態を模式的に示すように、第１のレーザ光ＬＭのホログラム情報記録再生様レーザ光は、波長選択反射膜４を透過することがないことから、第２の情報記録層８の影響を受けることなく、第１の情報記録層のホログラム情報記録層２に対する記録再生を高い精度をもって行うことができる。
そして、レーザ光ＬＳの位置検出用レーザ光は、これがホログラム情報記録層２に対して感度を示すことがない、すなわち吸収することがない波長であることから、このホログラム情報記録層２を透過し、また、波長選択反射膜４においても透過性が高いことから、効率よく、第２の情報記録層の位置検出情報層８に達し、この情報に応じて変調された反射光を取り出すことができる。
【００３３】
次に、この波長選択反射膜４の反射率および透過率のＰ波およびＳ波について、入射角依存性について説明する。
図５は、厚さ７５ｎｍのアモルファスＳｉに対する波長４０５ｎｍの、Ｓ偏光およびＰ偏光の透過率と反射率の入射角依存性を示すもので、曲線ＳＴＭおよびＰＴＭは、Ｓ偏光およびＰ偏光の透過率曲線、曲線ＳＲＭおよびＰＲＭは、Ｓ偏光およびＰ偏光の反射率曲線を示す。
図５によれば、対物レンズ１７のＮ．Ａ．（開口数）０．５に対応する入射角約２０度まで、反射率の変化、Ｐ偏光およびＳ偏光依存性は少ない。また、透過率は、０％を保持していることがかる。
【００３４】
一方、図６は、同様に、厚さ７５ｎｍのアモルファスＳｉに対する波長６６０ｎｍの、Ｓ偏光およびＰ偏光の透過率と反射率の入射角依存性を示すもので、曲線ＳＴＳおよびＰＴＳは、Ｓ偏光およびＰ偏光の透過率曲線、曲線ＳＲＳおよびＰＲＳは、Ｓ偏光およびＰ偏光の反射率曲線を示す。
図６によれば、同じく対物レンズ７のＮ．Ａ．０．５に対応する入射角約２０度まで、透過率の変化、Ｐ偏光およびＳ偏光依存性は少ない。すなわち、対物レンズ１７により収束されたレーザ光に対しても、ほぼ一定の反射、透過特性を発揮することができることがわかる。
【００３５】
図５および図６においては、波長４０５ｎｍと６６０ｎｍについて示したが、既存の短波長青色半導体レーザの波長範囲として先に示した波長３９０ｎｍ〜４５０ｎｍ、赤または近赤外レーザの波長６３０ｎｍ〜８３０ｎｍについて、青色レーザ波長上限の４５０nmで光学屈折率は、４．５＋１．５ｉであり、一方、赤色レーザ波長の下限の６３０nmで光学屈折率は、４．２＋０．４ｉで、これらの組み合わせにおいても、上述したと同様の効果が得られる。
【００３６】
上述したように、本発明に構成によれば、単一膜構成で、第１のレーザ光に対して透過することなく効率よく反射させ、第２のレーザ光のみを透過させて第２の情報層に向かわせることができ、更に、広い入射角に対して、波長選択性を保持できるものである。
【００３７】
このように、本発明においては、単一膜による波長選択反射膜を有する反射型ホログラム情報記録媒体を構成することから、従来におけるように、複数の誘電体層の積層による波長選択反射膜とする場合における冒頭述べた例えば生産性、歩留まり、コストの問題について効果的に改善が図られるものである。
【００３８】
尚、本発明は、上述した実施形態例に限られるものではない。例えば第１および第２のレーザ光源としては、上記の波長範囲であれば、半導体レーザに限られるものではない。
【図面の簡単な説明】
【００３９】
【図１】本発明によるホログラム情報記録媒体の一例の概略断面図である。
【図２】本発明の説明に供するホログラム記録再生装置の一例の構成図である。
【図３】本発明によるホログラム情報記録媒体の波長選択反射膜の反射率および透過率の厚さ依存性の特性曲線図である。
【図４】ＡおよびＢは、本発明によるホログラム情報記録媒体に対する波長選択反射膜の動作の説明図である。
【図５】波長４０５ｎｍについてのＰ波およびＳ波についての反射率および透過率の入射角依存性を示す特性曲線図である。
【図６】波長６６０ｎｍについてのＰ波およびＳ波についての反射率および透過率の入射角依存性を示す特性曲線図である。
【符号の説明】
【００４０】
１・・・透明基板、２・・・第１の情報記録層（ホログラム情報記録層）、３・・・第１の透明スペーサ膜、４・・・波長選択反射膜、５・・・第２の透明スペーサ膜、６・・・凹凸面、７・・・反射膜、８・・・第２の情報記録層（位置検出情報層）、１０・・・ホログラム情報記録媒体、１１・・・第１のレーザ光源、１２・・・コリメートレンズ、１３・・・ビームスプリッタ、１４・・・空間変調器、１５・・・ミラー、１６・・・ダイクロイックプリズム、１７・・・対物レンズ、１８・・・アレイ型光検出器、１９・・・第２のレーザ光源、２０・・・コリメートレンズ、２１・・・ビームスプリッタ、２２・・・集光レンズ、２３・・・光検出器、ＬＭ・・・第１のレーザ光（ホログラム記録再生用レーザ光）、ＬＳ・・・第２のレーザ光（位置検出用レーザ光）
【図１】
2005316006.tif 000003
【図２】
2005316006.tif 000004
【図３】
2005316006.tif 000005
【図４】
2005316006.tif 000006
【図５】
2005316006.tif 000007
【図６】
2005316006.tif 000008